(57)【要約】【課題】  ベルトの孔に対して容易に装着可能で、かつ確実に装着されて外れにくいベルト装着具を提供すること。【解決手段】  環状に巻きつけて使用するベルト２の本体に巻き付け方向に対して略直交する方向に延在する孔４が設けられたベルト２に取り付けるベルト装着具１０であって、装飾部１８と、この装飾部１８に設けられ、前記孔に嵌挿自在かつその断面形状が前記孔と同方向に延在する少なくとも一つの第１の係合部１２と、必要に応じて環状に巻き付けたベルト本体の内側に係合する第２の係合部１４を前記第１の係合部１２の先端に備えることを特徴とする。  また、前記装飾部１８は、ベルト２の巻き付け方向の両端部１８ａ、１８ｂが、中央部よりベルト２側に近づくように湾曲又は屈曲していることを特徴とする。【選択図】  図３
2005177007.tif 000002
【特許請求の範囲】
【請求項１】
環状に巻きつけて使用するベルトの本体に巻き付け方向に対して略直交する方向に延在する孔が設けられたベルトに取り付けるベルト装着具であって、装飾部と、この装飾部に設けられ、前記孔に嵌挿自在かつその断面形状が前記孔と同方向に延在する少なくとも一つの第１の係合部とを備えていることを特徴とするベルト装着具。
【請求項２】
請求項１記載のベルト装着具であって、
前記装飾部は、ベルトの巻き付け方向の両端部が、中央部よりベルト側に近づくように湾曲又は屈曲していることを特徴とするベルト装着具。
【請求項３】
請求項１又は２に記載のベルト装着具であって、
前記第１の係合部の先端に環状に巻き付けたベルト本体の内側に係合する第２の係合部を備えることを特徴とするベルト装着具。
【請求項４】
請求項１から３のいずれかに記載のベルト装着具であって、
前記装飾部のベルト巻きつけ方向の両端部のいずれか一方又は双方に、前記ベルトの前記第１の係合部が嵌挿される孔とは別の孔に嵌挿される第３の係合部が形成されていることを特徴とするベルト装着具。
【発明の詳細な説明】
【技術分野】
【０００１】
この発明は、ベルトの孔に取り付け可能なベルト装着具に関する。
【背景技術】
【０００２】
従来、身体やものに環状に巻き付けて使用するベルトは、ベルトの一端にバックル等の締結部が設けられ、例えば、締結部がベルト本体の長手方向に複数配置された寸法調整用の孔に挿入、締結することによって、ベルトが所定寸法の環状体に形成されて実用に供される。ところで、寸法調整において使用されなかった孔は、機能を持たないうえ、多くの場合ベルト表面に露出し少なからず外観を損なう場合があった。そこで、調整に使用されなかった残余の孔に装飾品を取り付けて装飾性を向上する技術が提案されている（例えば、特許文献１参照。）。
【特許文献１】特開２０００−７９００７号公報（第２頁、図１、図２）
【発明の開示】
【発明が解決しようとする課題】
【０００３】
しかしながら、上記従来技術においては、装着具を装着する際に、装着具をベルト孔に対して回転させる必要があったため、装着時間が長くかかったり、装着時にベルトの孔を傷つけるおそれがあった。
【０００４】
この発明は、このような事情を考慮してなされたもので、その目的は、ベルトの孔に対して容易に装着可能で、かつ確実に装着されて外れにくいベルト装着具を提供することにある。
【課題を解決するための手段】
【０００５】
上記目的を達成するために、この発明は以下の手段を提案している。
請求項１に係る発明は、環状に巻きつけて使用するベルトの本体に巻き付け方向に対して略直交する方向に延在する孔が設けられたベルトに取り付けるベルト装着具であって、装飾部と、この装飾部に設けられ、前記孔に嵌挿自在かつその断面形状が前記孔と同方向に延在する少なくとも一つの第１の係合部とを備えていることを特徴とする。
【０００６】
請求項１に係る発明によれば、ベルトの巻き付け方向に対して略直交する方向（以下、巾方向という）に延在する孔に対して、同方向に延在する第１の係合部をベルトの孔に挿入することによってベルト装着具がベルトに装着されるので、ベルト装着具の着脱が容易で、かつベルトを傷つけるおそれも小さい。
また、第１の係合部は断面が、長手方向と短手方向とから構成されているので、孔内における回転に対する抗力により、ベルト装着具が回転するのを抑制することができる。
【０００７】
請求項２に係る発明は、請求項１記載のベルト装着具であって、前記装飾部は、ベルトの巻き付け方向の両端部が、中央部よりベルト側に近づくように湾曲又は屈曲していることを特徴とする。
【０００８】
請求項２に係る発明によれば、装飾部の両端部が、ベルトの巻き付け方向において中央部よりベルト側に近づくように湾曲又は屈曲しているので、装飾部がベルトの外形にフィットし、ベルト装着具がベルトの長手方向の端部において浮き上ることがなく、ベルトの表面と接触してベルト装着具が回転するのを抑制することができる。また、日常生活において、身体やものと接触して人やものを傷つけたり、損傷するおそれがない。また、装飾部の内方から外方に向かう外力を受けにくいので、ベルト装着具が外れるのを抑制することができる。
【０００９】
請求項３に係る発明は、請求項１又は２に記載のベルト装着具であって、前記第１の係合部の先端に環状に巻き付けたベルト本体の内側に係合する第２の係合部を備えることを特徴とする。
【００１０】
請求項３に係る発明によれば、第２の係合部がベルトの孔よりもわずかに大きく形成されているので、ベルトの孔への嵌挿に無理な力を必要とせず、ベルト装着具の取付け取外しを容易に行うことができる。また、嵌挿した後は、第２の係合部によりベルト装着具がベルトの内側にしっかりと固定されるのでベルト装着具が浮き上ったり、外れるのを抑制することができる。
さらに、第２の係合部の外形を緩やかな曲面に形成することによって、ベルトの孔に第２の係合部の嵌挿を、小さな力で行い、かつベルトの孔が傷付くのを抑制することができる。
【００１１】
請求項４に係る発明は、請求項１からは３のいずれかに記載のベルト装着具であって、前記装飾部のベルト巻きつけ方向の両端部のいずれか一方又は双方に、前記ベルトの前記第１の係合部が嵌挿される孔とは別の孔に嵌挿される第３の係合部が形成されていることを特徴とする。
【００１２】
請求項４に係る発明によれば、第１の係合部及び第２の係合部がベルトの孔にしっかりと嵌挿されるとともに、第３の係合部がベルトの孔に嵌挿され廻り止めとして作用するので、ベルト装着具が外力によって回転するのを確実に抑制することができる。また、外力によってベルト装着具に浮き上り方向の力が加わった場合であっても、第３の係合部があることによって浮き上りが生じるのを抑制することができる。
【発明の効果】
【００１３】
この発明に係るベルト装着具によれば、ベルトの孔に対してベルト装着具を短時間かつ容易に装着可能であり、かつ外れないように確実に装着することができる。
【発明を実施するための最良の形態】
【００１４】
以下、図面を参照し、この発明の第１の実施形態について説明する。図１はこの発明の第１の実施形態を示す図であって、符号１はベルトを備えた腕時計を、符号１０はベルト装着具を示している。
【００１５】
図１において、腕時計１は、ベルト２と、締結部３と、時刻を演算、表示する時計本体６とを備えており、ベルト２には、孔４が設けられている。また、ベルト２はその端部に締結部３を備えた側のベルト２ａと、手首の大きさに合わせて調整する側のベルト２ｂとから構成され、ベルト２ａには装飾を兼ねた孔４ａが、ベルト２ｂには手首の大きさに合わせて選択される孔４ｂが設けられている。また、孔４は、ベルト２の本体の長手方向（手首にベルト２を環状に巻きつける方向）に、略等間隔に複数設けられており、巾方向（長手方向に対して略直交する方向）に延在する長孔から構成されている。また、ベルト２は、少なくとも伸縮性がある材料、例えば、ゴム（合成ゴムを含む）、皮革（合成皮革を含む）、ＡＢＳ等の合成樹脂等によって製作されている。
ベルト装着具１０は、腕時計１のベルト２の孔４に嵌挿して取付けられている。
【００１６】
図２（ａ）、（ｂ）、（ｃ）は、ベルト装着具１０を示す図である。
ベルト装着具１０は、銀等の金属製であって、この実施形態においては、銀を材料としてロストワックスによる鋳造法を用いて成形された装飾部１８と、装飾部１８に設けられベルト２の孔４に嵌挿自在な第１の係合部１２と、第１の係合部の先端に第２の係合部１４を備えている。
装飾部１８は、図２（ｃ）に示すように、ベルト２の長手方向の両端部１８ａ、１８ｂが、中央部よりベルト側に近づくように湾曲している。この実施形態において、装飾部１８の湾曲は、ベルト２を装着した状態の嵌挿箇所近傍のベルト２の曲率よりも大きな曲率に設定されている。
第１の係合部１２は、装飾部１８の略中央に設けられ、その断面形状が孔４と同方向に延在する楕円形又は長円形に形成され、ベルト２の孔４の内面に略内接するようになっている。
また、第１の係合部１２は、ベルト２の内側の面に向かうにつれて、孔４の形状（長手方向、短手方向）の範囲内にて断面がわずかに拡大し、ベルトの内側の面の開口部において、略孔４に内接するようになっている。
【００１７】
第２の係合部１４は、第１の係合部１２の先端に設けられ、その外形は第１の係合部１２の先端よりもわずかに大きな略楕円体に形成されるとともに、環状に巻き付けたベルト本体の内側の面に係合するようになっている。
また、第２の係合部１４は、必要に応じて楕円体を扁平にするとともに、第１の係合部との接続部分にコーナーＲを設けて曲面とすることができる。
さらに、このコーナーＲはベルト２の材質、孔４の大きさ、厚さ等に応じて形状を好適化することができる。
【００１８】
次に、上記のベルト装着具１０の作用について説明する。
ベルト装着具１０は、その第２の係合部１４を孔４に接近させて、その先端部を孔の軸線方向に対してわずかに斜めにした状態にて装飾部１８の上面側から押圧して、第２の係合部１４をベルトの表面側の面の孔４の開口部から緩やかに押し込み、続いて第１の係合部１２を孔４に挿入する。
【００１９】
図３は、ベルト装着具１０がベルト２の孔４に嵌挿された状態を図１の一点鎖線においてＡ方向から断面視した状態を示したものであり、この図において、第１の係合部は、ベルト２の内側面の孔４に略内接するように位置し、第２の係合部１４がベルト２の内側面に当接するとともに、装飾部１８がその長手方向の両端部１８ａ、１８ｂにおいて当接する。また、装飾部１８の湾曲の曲率が、ベルト２の装着状態における曲率よりも大きいので、ベルト装着具１０の両端部１８ａと１８ｂ間において装飾部１８下側にわずかな空間ができ、第２の係合部１４と、装飾部１８の両端部１８ａ、１８ｂの３点でしっかりと固定される。
【００２０】
図４は、ベルト２の孔４にベルト装着具１０を嵌挿した場合の、孔４と、第１の係合部１２と、第２の係合部１４の相互の位置関係の概略を示したものであり、この場合、孔４に対してわずかな隙間をもって第１の係合部１２が内接するように位置し、孔４のベルトの内側面の開口部の外周の全周に亘って第２の係合部１４の上面が当接された状態となっている。
【００２１】
この第１の実施形態のベルト装着具１０によれば、ベルト２の巾方向に延在する孔４に対して、断面が同方向に延在する第１の係合部１２をベルト２の孔４に挿入するとともに、第２の係合部１４がベルト２の内側にしっかりと固定されるので、ベルト装着具１０の着脱が容易かつベルト２にしっかりと固定することができる。また、ベルト２を手首に着脱するために、ベルト２の端部を引っ張った場合にも、伸縮性のあるベルトが長手方向に伸張することによって、ベルト２の孔４はその延在方向に縮小され、第１の係合部１２をその延在方向から締め付けて、第１の係合部１２が孔４から外れるのを抑制することができる。
【００２２】
また、第１の係合部は断面が、楕円形など長手方向と、短手方向とから構成されているので、外力が加わっても、孔４内においてベルト装着具１０が回転するのを抑制することができる。
また、ベルト装着具１０は、装飾部１８の両端部１８ａ、１８ｂが、ベルト２の長手方向において中央部よりベルト側に近づくように湾曲しているので、装飾部がベルトの外形にフィットし、ベルト装着具１０がベルト２の長手方向の端部１８ａ、１８ｂにおいて浮き上ることがなく、また、内方から外方に向かう外力を受けにくいので、ベルト装着具１０が回転するのを抑制することができる。また、日常生活において、身体やものと接触して人やものを傷つけたり、損傷するおそれがない。従って、ベルト装着具１０が外れるのを抑制することができる。
【００２３】
また、第２の係合部１４がベルト２の孔４よりもわずかだけ大きく形成されているので、孔４に小さな力で嵌挿することができ、嵌挿した後はベルト２の内側にしっかりと固定される。また、第２の係合部１４を所定の方向にねじらせることで、取外しを容易に行うことができる。
さらに、第２の係合部１４の外形を緩やかな曲面に形成することによって、ベルト２の孔４への第２の係合部１４の嵌挿が小さな力で行え、かつベルト２の孔４が傷付くのを抑制することができる。
【００２４】
次に、図５（ａ）、（ｂ）、（ｃ）に、この発明の第２、第３、第４の実施形態を示す。これらの実施形態において、第１の実施形態と同様の構成については同じ符号を付して、その説明を省略する。
図５（ａ）は、この発明の第２の実施形態であって、第１の実施形態において、装飾部１８の長手方向の両端部１８ａ、１８ｂに第３の係合部１６が設けられ、孔４を３つ使用して装着したものである。この実施形態では、装飾部１８の略中央部に設けられた第１の係合部１２と第２の係合部１４がベルト２の孔４に嵌挿されるとともに、装飾部１８の両端に設けられた２つの第３の係合部１６が、ベルト２の孔４に挿入されている。
【００２５】
このように、第３の係合部１６が孔４に挿入されることによって装飾部１８に外力が加わってもベルト装着具１０が回転したり浮き上って外れたりするのを抑制することができる。
なお、上記の実施形態においては、装飾部１８の湾曲の曲率が、ベルト２の装着状態における曲率よりも大きい場合について説明したが、装飾部１８の曲率をベルト２の装着状態における曲率よりも小さく設定してもよい。
また、上記の実施形態においては、装飾部１８が湾曲している場合について説明したが、湾曲に代えて、装飾部１８を両端部１８ａ、１８ｂの間の1箇所以上において屈曲させるように構成してもよい。
【００２６】
次に、図５（ｂ）に示すのは、この発明の第３の実施形態であって、装飾部１８の両端部１８ａ、１８ｂの近傍に第１の係合部１２と第２の係合部１４が設けられ、中央付近に第３の係合部１６が配置されるとともに、孔４を３つ使用して装着したものである。この実施形態においては、装飾部１８の両端部１８ａ、１８ｂにおいて、ベルト装着具１０がベルト２の孔４にしっかりと固定されて、さらに中央部において第３の係合部１６が孔４に挿入されているので、ベルト装着具１０に側面からの外力が加わった場合でも、ベルト装着具１０が側方にずれたり、側面が浮き上るのを抑制することができる。
【００２７】
続いて、図５（ｃ）に示したのは、この発明の第４の実施形態であって、装飾部１８の両端１８ａ、１８ｂの近傍の一方に第１の係合部１２と第２の係合部１４が設けられ、他方の端部の近傍に第３の係合部１６が配置され、孔４を２つ使用して装着したものである。この実施形態においては、第１の係合部１２と第２の係合部１４によって、ベルト装着具１０の一方の端部がしっかりと固定されるのに加えて、他方の端部が第３の係合部１６によって、補助的に固定されるので、ベルト装着具１０の浮き上りや回転が抑制されるとともに、係合部の数が少ないので、製作が容易でかつ製造コストも抑制することができる。
【００２８】
また、上記の実施形態においては、ベルト装着具１０が、銀を材料として鋳造によって製作されている場合について説明したが、材料については銀をはじめとする金属はもちろんのこと、セラミック材等の非金属を材料として製作してもよい。なお、金属製の場合に、ベルト装着具が定常的に皮膚に触れる使用形態の場合にあっては、長期間の使用によるアレルギーを避けるために、ニッケル等を避けて、チタン、白金、金等のイオン化傾向が小さい金属が好適である。
【００２９】
さらに、成形方法にあっては、鋳造、鍛造、粘土状材料から成形、焼成してもよいし、無垢材料から削り出す機械加工等、あらゆる実用的な加工方法を使用することができる。  また、装飾部１８を係合部１２、１４、１６とともに一体で成形してもよいし、溶接や拡散接合、接着等によって接合してもよいし、金属、セラミック等の複数種の材料のなから成形した部品を組合せて、複合的な材料構成とすることもできる。
【００３０】
なお、上記図示の実施形態においては、ベルト装着具１０を、時計用ベルトに使用する場合について説明したが、ベルト装着具１０は衣服を身体に着用するための衣料用ベルトや、ペット用の首輪や胴輪などに適用してもよいし、装飾目的に限られることなく、作業用のベルトに筆記具、軽量工具、札等を取付ける基台としても適用してもよい。
また、第２から第４の実施形態として、第１の係合部１２、第２の係合部１４、第３の係合部１６、及び孔４との配置の組合せについて説明したが、これ以外の組み合わせを用いてもよい。
【図面の簡単な説明】
【００３１】
【図１】この発明の第１の実施形態に係るベルト装着具を腕時計のベルトに装着した状態を示す斜視図である。
【図２】この発明の第１の実施形態に係るベルト装着具を示す図であって、（ａ）は、平面図、（ｂ）は、正面図、（ｃ）は、側面図である。
【図３】この発明の第１の実施形態を示す図であって、ベルト装着具がベルトに嵌挿された状態を図１の断面Ａ−Ａを示す縦断面図である。
【図４】この発明の第１の実施形態に係るベルト装着具の第１、第２の係合部材のベルトの孔に係合した状態を、第１の係合部材の首部からみた横断面図である。
【図５】この発明のベルト装着具の（ａ）は、第２の実施形態を、（ｂ）は、第３の実施形態を、（ｃ）は、第４の実施形態を示す縦断面図である。
【符号の説明】
【００３２】
１０    ベルト装着具
１２    第１の係合部
１４    第２の係合部
１６    第３の係合部
１８    装飾部
【図１】
2005177007.tif 000003
【図２】
2005177007.tif 000004
【図３】
2005177007.tif 000005
【図４】
2005177007.tif 000006
【図５】
2005177007.tif 000007